(57)【要約】【課題】電気温水器と湯水混合弁を設置するに際し、少ない部品点数で施工も容易化でき、コストも安価となし得る電気温水器用アダプタを提供する。【解決手段】電気温水器アダプタ１４を、電気温水器１０への連結部３２と、給水配管に接続される給水口３０と、給水を弁部に流入させる水流入口５２，電気温水器１０からの湯を弁部に流入させる湯流入口５４，水と湯とを混合する混合室５８及び水と湯との流入比率を調節する弁体５６を備えた湯水混合弁２２と、給水口３０からの水を水流入口５２に導く内部給水路３６から分岐して電気温水器１０側にバイパスさせる分岐給水路７４とを含んで構成し、電気温水器１０に対し配管を介さず直結可能とする。【選択図】　　　　図２
2004085012.tif 000002
【特許請求の範囲】
【請求項１】
湯の供給源となる湯源器に連結される湯源器アダプタであって、
（イ）該湯源器への連結部と
（ロ）給水配管に接続される給水口と
（ハ）（ａ）該給水配管からの水を流入させる水流入口と、（ｂ）前記湯源器からの湯を流入させる湯流入口と、（ｃ）流入した水と湯とを混合させる混合室と、
（ｄ）該水流入口と湯流入口からの水と湯との流入の比率を調節する弁体と、を備えた湯水混合弁と
（ニ）前記給水口からの水を内部流通させて前記水流入口に導く内部給水路と
（ホ）該内部給水路から分岐し、給水を前記湯源器側にバイパスさせる分岐給水路と
（ヘ）該湯源器の湯を前記湯水混合弁の前記湯流入口に導く内部給湯路と
（ト）混合水の流出口と
を有し、前記湯源器に対し配管を介することなく直結可能に構成されたことを特徴とする湯水混合弁付湯源器アダプタ。
【請求項２】
請求項１において、前記分岐給水路が、前記湯水混合弁の前記弁体を内蔵するボデーに形成されていることを特徴とする湯水混合弁付湯源器アダプタ。
【請求項３】
請求項１，２の何れかにおいて、前記湯水混合弁の前記混合室内に、混合水温度を感知して前記弁体を位置移動させる感温体が収容されており、該湯水混合弁が、該感温体の作用にて混合水温度を設定温度に自動調節するサーモスタット式のものとなしてあることを特徴とする湯水混合弁付湯源器アダプタ。
【請求項４】
請求項１〜３の何れかにおいて、前記湯源器アダプタには、前記給水配管側の１次側圧力に対して２次側の圧力を減圧する減圧弁が前記湯水混合弁と併せて備えてあることを特徴とする湯水混合弁付湯源器アダプタ。
【請求項５】
請求項１〜４の何れかにおいて、前記湯源器が電気温水器であることを特徴とする湯水混合弁付湯源器アダプタ。
【発明の詳細な説明】
【０００１】
【発明の属する技術分野】
この発明は電気温水器等の湯源器に連結されるアダプタに関し、詳しくは湯水混合弁付の湯源器アダプタに関する。
【０００２】
【従来の技術】
図５に示しているように、給湯機器２００で沸かした温水（湯）を湯水混合弁２０２から出湯するに際して、湯水混合弁２０２が給湯機器２００から遠く離れた位置にあると、湯水混合弁２０２を開操作しても直ぐには温水が出て来ず、先ず長い配管２０４内部の冷えた水が湯水混合弁２０２から吐水される。
【０００３】
例えば浴室で湯水混合弁２０２を開操作して使用する温水は所定温度以上（通常４０℃程度以上）であることが必要であり、それ以下の温度の温水は利用されることはない。
従って湯水混合弁２０２から当初の間出て来る冷たい水は利用できないものであって、これは死に水（そのまま捨てられる水）となってしまう。
【０００４】
また湯水混合弁２０２の使用者は、求める温度の温水が湯水混合弁２０２から出て来るまでの間、長い時間待たなければならないといった問題がある。
そこで近年、上記多量の無駄な死に水の発生と長い湯待ち時間の問題を解決するため、湯水混合弁の近くに即時給湯装置としての電気温水器を設けるといったことが行われている。
【０００５】
従来、電気温水器を設置するに際しては、図６に示しているように給水源からの水を電気温水器（湯源器）２０６に給水するために給水配管２０８，２１０を配管施工して電気温水器２０６に接続し、また湯水混合弁２０２に対しても給水を行えるように、給水配管２０８と２１０との接続部の分岐部２１２から別の給水配管２１４を分岐して延び出させ、これを湯水混合弁２０２の水側接続口に接続する一方、電気温水器２０６からの温水（湯）を湯水混合弁２０２に供給するための出湯配管２１６を配管施工してその一端側を電気温水器２０６に、また他端側を湯水混合弁２０２の湯側接続口に接続していた。
【０００６】
この電気温水器２０６を含む給湯システムにおいては、給水源からの水が電気温水器２０６に供給されることで、電気温水器２０６内部の温水が押し出されて出湯配管２１６を通じ湯水混合弁２０２に供給される。
また一方給水源からの水が、分岐部２１２から分岐して延び出した給水配管２１４を通じ湯水混合弁２０２に供給される。
そして湯水混合弁２０２は、供給された水と湯とを所定比率で混合して、吐水口から所望温度の混合水を吐水する。
【０００７】
図７は電気温水器の具体的な設置例を示したもので、給水源としての給水元管に対し、電気温水器２０６が止水栓２１８を介し給水配管２０８，２１０により接続されている。
ここで給水配管２０８と２１０とは分岐部２１２で互いに接続されている。
【０００８】
この例において、分岐部２１２は分岐路を有する減圧弁にて構成されており、そしてその分岐部２１２の分岐口から給水配管２１４が延び出していて、給水元管からの水が分岐部２１２において電気温水器２０６側と湯水混合弁２０２側とに分岐して給水されるようになっている。
ここで分岐部２１２を構成する減圧弁は、１次側の給水の圧力に対し２次側の圧力を減圧する作用をなすものである。
【０００９】
電気温水器２０６からは出湯配管２１６が延び出していて、その先端が湯水混合弁２０２に接続されている。
尚、２２０は電気温水器２０６から膨張水を逃すための逃し弁であり、給水配管２１０からの分岐管２２２上に設けられている。
この逃し弁２２０からの溢出水は排出管２２４を通じ排出されれる。
【００１０】
【発明が解決しようとする課題】
しかしながら上記従来の方法に従って電気温水器２０６を設置する場合、電気温水器２０６と湯水混合弁２０２とを別々に設置しなければならないとともに、給水配管２０８と２１０との間に分岐部２１２を設けて、そこから別の給水配管２１４を分岐して延び出させ、更に電気温水器２０６からは出湯配管２１６を延び出させて、その出湯配管２１６及び給水配管２１４のそれぞれを湯水混合弁２０２に接続しなければならない。
この場合、配管施工及び配管を含む全体のシステム構成が複雑化するとともに、電気温水器，湯水混合弁を含む全体の給湯システムが大型化し、設置スペースも広いスペースを必要とする。
【００１１】
加えて配管施工及び配管接続を含む設備の設置工数が多くなって作業が面倒となり、全体としてのコストも高くなるといった問題を生ずる。
尚、配管施工を簡単化できるものとして、従来下記文献１にその一例が開示されている。
【００１２】
この文献１に開示のものは、図８に示しているように給水通路２２８と、湯通路２３０と、バイパス通路２３２とを有する接続装置２２６を、電気温水器２０６に接続するようになしたものである。
しかしながらこの文献１に開示のものは、給水配管，出湯配管を接続装置２２６に接続すればよく、それぞれを別々に電気温水器２０６に対して直接接続しなくてよいものの、湯水混合弁２０２を別途に設けて、それと接続装置２２６とを配管にて接続しなければならず、上記従来の課題は依然として残ったままである。
［文献１］　特許第３０７９８７４号
【００１３】
【課題を解決するための手段】
本発明の湯水混合弁付湯源器アダプタはこのような課題を解決するために案出されたものである。
而して請求項１のものは、湯の供給源となる湯源器に連結される湯源器アダプタであって、（イ）該湯源器への連結部と、（ロ）給水配管に接続される給水口と、（ハ）（ａ）該給水配管からの水を流入させる水流入口と、（ｂ）前記湯源器からの湯を流入させる湯流入口と、（ｃ）流入した水と湯とを混合させる混合室と、（ｄ）該水流入口と湯流入口からの水と湯との流入の比率を調節する弁体とを備えた湯水混合弁と、（ニ）前記給水口からの水を内部流通させて前記水流入口に導く内部給水路と、（ホ）該内部給水路から分岐し、給水を前記湯源器側にバイパスさせる分岐給水路と、（ヘ）該湯源器の湯を前記湯水混合弁の前記湯流入口に導く内部給湯路と、（ト）混合水の流出口とを有し、前記湯源器に対し配管を介することなく直結可能に構成されたことを特徴とする。
【００１４】
請求項２のものは、請求項１において、前記分岐給水路が、前記湯水混合弁の前記弁体を内蔵するボデーに形成されていることを特徴とする。
【００１５】
請求項３のものは、請求項１，２の何れかにおいて、前記湯水混合弁の前記混合室内に、混合水温度を感知して前記弁体を位置移動させる感温体が収容されており、該湯水混合弁が、該感温体の作用にて混合水温度を設定温度に自動調節するサーモスタット式のものとなしてあることを特徴とする。
【００１６】
請求項４のものは、請求項１〜３の何れかにおいて、前記湯源器アダプタには、前記給水配管側の１次側圧力に対して２次側の圧力を減圧する減圧弁が前記湯水混合弁と併せて備えてあることを特徴とする。
【００１７】
請求項５のものは、請求項１〜４の何れかにおいて、前記湯源器が電気温水器であることを特徴とする。
【００１８】
【作用及び発明の効果】
以上のように本発明は、給水配管に接続される給水口と、湯源器への連結部と、湯水混合弁と、湯源器の湯を湯水混合弁における湯流入口に導く内部給湯路と、混合水の流出口と、給水口からの水を湯水混合弁における水流入口に導く内部給水路及びその内部給水路から分岐して給水を湯源器側にバイパスさせる分岐給水路とを備えたアダプタ（湯源器アダプタ。以下同）を構成し、これを湯源器に対し配管を介することなく直結可能となしたものである。
【００１９】
かかる本発明においては、アダプタ自体が湯水混合弁を備えているとともに、給水口からの水を湯水混合弁の内部に給水する機能と、給水口からの水を湯源器側にバイパスして給水する機能とを有していることから、従来のように給水源からの水を湯源器と湯水混合弁とに分岐させる分岐部を配管上に設ける必要を無くすことができ、また湯水混合弁を湯源器に直結可能であって、それらを一体的に構成することが可能であり、従来のように湯水混合弁と電気温水器とを別々に設置すること、それに伴う様々な構成上及び作業上の面倒を簡素化することが可能となる。
これにより湯源器を含む給湯システムの占めるスペースを省スペース化できるとともに省施工を実現でき、また全体のコストも安価となすことができる。
【００２０】
本発明においては、上記分岐給水路を湯水混合弁におけるボデーに形成しておくことができる（請求項２）。
また湯水混合弁は、混合室内に感温体を収容してその感温体による温度感知に基づいて弁体を位置移動させ、混合水温度を設定温度に自動調節するサーモスタット式のものとなしておくことができる（請求項３）。
このようにしておけば、湯水混合弁から適正温度の水を吐水させることができる。
【００２１】
本発明においてはまた、上記アダプタに給水配管側の１次側圧力に対し２次側の圧力を減圧する減圧弁を湯水混合弁と併せて備えておくことができる（請求項４）。
このようにすれば減圧弁を別途に設ける必要がなくなり、給湯システムの構成を更に簡素化することができる。
【００２２】
本発明は、湯源器としての電気温水器のアダプタに適用して特に好適なものである（請求項５）。
【００２３】
【実施例】
次に本発明の実施例を図面に基づいて詳しく説明する。
図１において、１０は湯源器としての電気温水器で、缶体１１内部に電気ヒータ１２が設けられている。
１４は電気温水器１０に直結された電気温水器アダプタ（湯源器アダプタ。以下単にアダプタとする）で、このアダプタ１４には給水配管１６と出湯配管１８とが接続されている。
尚２０は、給水配管１６を通じて送られて来た水をアダプタ１４を経由して電気温水器１０の底部に押し込むためのパイプである。
【００２４】
図２にアダプタ１４の内部構造が具体的に示してある。
同図において２２は湯水混合弁、２４は１次側の給水の圧力に対し２次側の圧力を減圧する減圧弁である。
即ちこの例のアダプタ１４は、湯水混合弁２２と減圧弁２４とを一体に備えたものとして構成されている。
図２において、２６は減圧弁２４のボデー、２８は湯水混合弁２２のボデーであり、それぞれ一体に構成されている。
【００２５】
アダプタ１４は給水口３０と、連結部３２と、混合水の流出口３４とを有しており、その給水口３０において給水配管１６に接続され、また連結部３２において電気温水器１０に直結されている。
また湯水混合弁２２で水と湯とが所定比率で混合された混合水が流出口３４から図１の出湯配管１８へと流出する。
３６は給水口３０に続いて設けられた内部給水路で、給水配管１６からの水は、この内部給水路３６を通じて湯水混合弁２２における後述の水流入口５２に導かれ、更にその水流入口５２を通じて湯水混合弁２２の内部へと流入する。
【００２６】
この内部給水路３６上に設けられた減圧弁２４は弁体３８を有しており、その弁体３８が弁座４０に着座し又は離間することによって水路を開閉する。
弁体３８には、図中下向きに延び出す弁軸４２が一体に構成されている。
この弁軸４２の端部にはピストン４４が一体移動状態で固定されていて、そのピストン４４がシリンダ４６の内面に摺動可能且つ水密に嵌合されている。
ここでピストン４４はスプリング４８によって図中下向き、即ち弁体３８を開く方向に付勢されている。
【００２７】
この減圧弁２４は次のように働く。
即ち２次側の圧力が低い間は弁体３８が開状態を保持し、給水口３０からの水は内部給水路３６の一部を構成する減圧弁水路５０を通じて下流側へと流通する。
一方２次側の圧力が一定圧に達すると、ここにおいてピストン４４がスプリング４８の付勢力に抗して図中上向きに押し上げられ、ここにおいて弁体３８がピストン４４と一体に移動して弁座４０に着座し、水路を閉鎖する。
【００２８】
上記湯水混合弁２２はこの例ではサーモスタット式のもので、図３に示しているように水流入口５２と湯流入口５４及び弁体５６を有している。
水流入口５２と湯流入口５４とから流入した水と湯とは、混合室５８に流入してそこで混合され、その混合水が開口部６０から図中右向きに流出する。
そして弁体５６は、図中左右の位置移動によって水流入口５２と湯流入口５４との開度を変化させ、以って水流入口５２からの水流入量と湯流入口５４からの湯流入量との比率を変化させる。
【００２９】
混合室５８内には、形状記憶合金から成る感温ばね（感温体）６２が配設されており、その感温ばね６２によって弁体５６が図中左向きに付勢されている。
この感温ばね６２は、混合室５８内の混合水温度に応じて図中左向きの付勢力を変化させる。
【００３０】
即ち、混合水温度が設定温度よりも高くなると、付勢力を増大させて弁体５６を図中左向きに微小移動させ、水流入口５２の開度を広くする一方、湯流入口５４の開度を狭くする。即ち水の流入量を多く、湯の流入量を少なくそれぞれ変化させる。
また一方、混合水温度が設定温度よりも低いときには、弁体５６に対する付勢力を小さくして弁体５６を図中右向きに微小移動させ、水流入口５２の開度を狭くする一方、湯流入口５４の開度を広くする。即ち水の流入量を少なく、湯の流入量を多くそれぞれ変化させる。
【００３１】
６３は回転操作軸であって端部に回転ハンドル６４が取り付けられている。
回転操作軸６３は円筒部６６を有している。円筒部６６の内周面には雌ねじが形成されており、そこに駆動部材６８の外周面の雄ねじが螺合されている。
【００３２】
駆動部材６８は、第１バイアスばね７０，第２バイアスばね７２の付勢力を変化させることによって、弁体５６の位置を図中左右方向にシフトさせる。詳しくは、回転操作軸６３の回転によって駆動部材６８を押込む方向（図中右方向）に移動させると、第１バイアスばね７０及び第２バイアスばね７２が圧縮されて付勢力を高め、ここにおいて感温ばね６２と第１バイアスばね７０及び第２バイアスばね７２による付勢力との均衡が破れて、即ち第１バイアスばね７０及び第２バイアスばね７２による付勢力が感温ばね６２の付勢力に打ち勝って弁体５６を釣合い位置から図中右向きにシフトさせる。
【００３３】
弁体５６は、そのシフト位置において感温ばね６２による感温動作に基づいて水流入口５２，湯流入口５４の開度を変化させ、水と湯との混合比率を調節する。
【００３４】
湯水混合弁２２のボデー２８には、周方向に沿って分岐給水路７４が形成されている。
この分岐給水路７４は減圧弁水路５０、即ち内部給水路３６から分岐して湯水混合弁２２の内部水路をバイパスする状態で形成されており、給水口３０から流れ込んだ水の一部がこの分岐給水路７４を通じて電気温水器１０に直接供給される。
具体的には、この分岐給水路７４からの水がパイプ２０を通じて電気温水器１０の底部に供給される。
【００３５】
この例のアダプタ１４にはまた、連結部３２に内部給湯路７６が設けられており、電気温水器１０から押し出された湯がこの内部給湯路７６を通じて湯水混合弁２２の湯流入口５４に導かれ、更にその湯流入口５４から湯水混合弁２２の内部へと流入する。
【００３６】
かかる本例のアダプタ１４の場合、給水配管１６から給水口３０に流れ込んだ水の一部が、湯水混合弁２２の水流入口５２を通じて湯水混合弁２２内部に流入する。
また他の一部が湯水混合弁２２の内部水路をバイパスして分岐給水路７４を通じ直接電気温水器１０内部へと流入する。
分岐給水路７４からの水が電気温水器１０内部へと流入すると、そこに貯えられている湯が押し上げられて、アダプタ１４の内部給湯路７６を通じ湯水混合弁２２の湯流入口５４から弁内部に流入する。
【００３７】
そして水流入口５２から流入した水と、湯流入口５４から流入した湯とが混合室５８で混合されて、流出口３４から出湯配管１８側へと流出する。
【００３８】
以上のように本例のアダプタ１４は、電気温水器１０に対し配管を介することなく直結可能であって、アダプタ１４自体が湯水混合弁２２を備えているとともに、給水口３０からの水を湯水混合弁２２の内部に給水する機能と、湯水混合弁２２の内部水路をバイパスして電気温水器１０に直接給水する機能とを有しているため、従来のように給水源からの水を電気温水器１０と湯水混合弁とに分岐させる分岐部を配管上に設ける必要がない。
【００３９】
また湯水混合弁２２を電気温水器１０に直結可能であるため、従来のように湯水混合弁と電気温水器１０とを別々に設置すること、それに伴う様々な構成上及び作業上の面倒を簡素化することができる。
【００４０】
これにより電気温水器１０を含む給湯システムの占めるスペースを省スペース化できるとともに省施工を実現でき、また全体のコストも安価となすことができる。
【００４１】
また湯水混合弁２２は混合室５８内に感温ばね６２を収容して、その感温ばね６２による温度感知に基づいて混合水温度を設定温度に自動調節するため、湯水混合弁２２を設定操作しておくことで、常に流出口３４から適正温度の水を流出させることができる。
【００４２】
本例においてはまた、湯水混合弁２２と併せて減圧弁２４をアダプタ１４に備えてあるため、減圧弁２４を別途に設ける必要がなく、給湯システムの構成を更に簡素化することができる。
【００４３】
図４は本発明の他の実施例を示したもので、この例では上記実施例における減圧弁２４を省略した形態でアダプタ１４を構成している。
この例ではまた、連結部３２を二股に分岐させて、一方の連結管３２Ａの内部に、給水口３０に続く内部給水路３６からの水を電気温水器１０へと分岐して供給する分岐給水路７４を、また他方の連結管３２Ｂの内部に、電気温水器１０からの湯を湯水混合弁２２における湯流入口５４へと導く内部給湯路７６を形成している。
他の点については基本的に上記第１の実施例と同様である。
【００４４】
以上本発明の実施例を詳述したがこれはあくまで一例示である。
例えば本発明は給湯機器等上記電気温水器以外の各種湯源器のアダプタとして適用可能であるし、或いはまたそのアダプタに備えた湯水混合弁を上例以外の様々な形態のサーモスタット式の湯水混合弁、或いはそのようなサーモスタット機能を有していない各種混合弁として構成することが可能であるなど、本発明はその主旨を逸脱しない範囲において種々変更を加えた形態で構成可能である。
【図面の簡単な説明】
【図１】本発明の一実施例であるアダプタを電気温水器への取付状態で示す図である。
【図２】同実施例のアダプタの内部構造を示す図である。
【図３】図２の湯水混合弁の内部構造を拡大して示す図である。
【図４】本発明の他の実施例のアダプタを示す図である。
【図５】従来の給湯機器と湯水混合弁との関係を示す図である。
【図６】従来の給湯システムを示す図である。
【図７】図６の電気温水器の実際の施工例を示す図である。
【図８】本発明に先行する従来技術の一例を示す図である。
【符号の説明】
１０　電気温水器（湯源器）
１４　電気温水器アダプタ（湯源器アダプタ）
１６　給水配管
２２　湯水混合弁
２４　減圧弁
２８　ボデー
３０　給水口
３２　連結部
３４　流出口
３６　内部給水路
５２　水流入口
５４　湯流入口
５６　弁体
５８　混合室
６２　感温ばね（感温体）
７４　分岐給水路
７６　内部給湯路
【図１】
2004085012.tif 000003
【図２】
2004085012.tif 000004
【図３】
2004085012.tif 000005
【図４】
2004085012.tif 000006
【図５】
2004085012.tif 000007
【図６】
2004085012.tif 000008
【図７】
2004085012.tif 000009
【図８】
2004085012.tif 000010